(57)【特許請求の範囲】
【請求項１】
プロペラが収納されたファン本体と、
第１開口孔を備えた外衣と、
第２開口孔を備えた通気性のない又は通気性の小さなシート状素材で作成された内衣と、
前記外衣を外側に前記内衣を内側にして、前記ファン本体が前記第１開口孔と前記第２開口孔を塞ぐように、前記ファン本体を前記外衣と前記内衣とに一体的に固定する固定部材とを備え、
前記ファン本体により、空気を外部から取り込んで前記内衣と身体又は下着との間の空間に空気の流れを強制的に生じさせることを特徴とする一体型空調服。
【請求項２】
前記ファン本体は、前記プロペラが収納された筒状部と、前記筒状部の一端に形成されたフランジ部と、を備え、
前記フランジ部と前記固定部材とで前記外衣と前記内衣とを挟み込んで前記ファン本体を固定することを特徴とする請求項１に記載の一体型空調服。
【請求項３】
前記第１開口孔の縁と前記第２開口孔の縁の少なくとも一方には補強処理が施されていることを特徴とする請求項１又は２に記載の一体型空調服。
【請求項４】
前記補強処理は、前記開口孔の縁には、前記筒状部の外径より小さな内孔から前記筒状部の外径と略同一の径に向かって切り込みを施し、切り込まれた部位を折り返すことにより前記筒状部の外径と略同一の孔を開口し、折り返された部位に前記筒状部の外径に対し僅かに大きな内径の補強板の内径をそろえて配置し、糸で補強板と開口孔の外側とを括り付けることを特徴とする請求項３に記載の一体型空調服。
【請求項５】
前記内衣の後襟には、空気を排出する空気排出部が形成されたことを特徴とする請求項１から４のいずれか一項に記載の一体型空調服。
【請求項６】
前記外衣の内面に空気流通路遮断シートが設けられたことを特徴とする請求項１から５のいずれか一項に記載の一体型空調服。
【請求項７】
前記ファン本体に電力を供給する電源装置と、
前記電源装置及び前記ファン本体に接続するプラグを有する電源ケーブルを備え、
前記電源装置に接続される側のプラグの正電極が前記ファン本体に接続される側のプラグの負電極に結線され、前記電源装置に接続される側のプラグの負電極が前記ファン本体に接続される側のプラグの正電極に結線されたことを特徴とする請求項１から６のいずれか一項に記載の一体型空調服。
【請求項８】
前記ファン本体に対応する部位から離れた部位に前記内衣と前記外衣を一体化する一又は複数の一体化手段を備えたことを特徴とする請求項１から７のいずれか一項に記載の一体型空調服。
【発明の詳細な説明】
【技術分野】
【０００１】
本発明は、ユニフォームの下に着る空調服の性能を備えた内衣と、ユーザーのユニフォームを最小限の変更にとどめた外衣とを一体化し、冷却能力を損なうことなく外観上はユーザーのユニフォームに近似した一体型空調服に関するものである。
【背景技術】
【０００２】
近年、身体を冷却する空調服が実用化され急激に普及しつつある。【０００３】
従来の空調服５００は、図９Ａ及び図９Ｂに示すように、通気性の小さな素材で縫製された服本体５１０と、服本体５１０の両側部の下方に取り付けられた２つのファン本体５２０，５２０とを備え、２つのファン本体５２０，５２０に電力を供給するための電源装置（不図示）と、電源装置と２つのファン本体５２０，５２０とを電気的に接続するための電源ケーブル（不図示）とを備える。ファン本体５２０，５２０を作動させると、大量の空気がファン本体５２０，５２０から服本体５１０の内に取り込まれる。【０００４】
ファン本体５２０，５２０によって取り込まれた空気により服本体５１０の内の圧力は陽圧になり、服本体５１０が膨らんで、服本体５１０と身体又は下着との間に空気が流通するための空間（空気流通路）が自動的に形成される。空気は空気流通路において身体又は下着の表面に沿って上方に流通し、例えば、襟部の周囲や袖口から外部に排出される。ここで、襟部の周囲や袖口は、空気排出部５３０としての役割を果たしている。そして、空気は服本体５１０と身体又は下着との間の空間内を流通する間に身体から出た汗を蒸発させ、蒸発する時の気化熱により身体が冷却される（例えば、特許文献１参照）。【０００５】
また、最近、製造業を中心とした会社から、自社で使用しているユニフォームを空調服として使用したいという要望が多く寄せられている。しかし、空調服に使用する生地には通気性の少ないものを用いる必要があることなど、自社で使用しているユニフォームを空調服化するには種々の問題がある。したがって、自社のデザインが施されたユニフォームの使用に固執する大手メーカーでは空調服の導入があまり進んでいないのが現状である。【０００６】
このため、特許文献２に記載されているように、内衣型空調服を使用して自社のユニフォームを空調服化することが考えられる。すなわち、内衣型空調服にファン本体を取り付け、ファン本体に対応するユニフォーム部位を適度な大きさの網目を有するメッシュ部材とすることにより、自社で使用しているユニフォームを空調服として使用することができる。
【先行技術文献】
【特許文献】
【０００７】
【特許文献１】国際公開２００５／０６３０６５号
【特許文献２】特開２００６−３０７３５４号公報
【発明の概要】
【発明が解決しようとする課題】
【０００８】
しかしながら、特許文献２に記載されている内衣型空調服を使用して、自社のユニフォームをそのまま空調服化した場合、外気取入口に相当する部分は、メッシュ部材であって完全な開口部ではないため、ファン本体によって外気を取り入れる際の空気抵抗は無視できず、冷却性能が低下してしまうといった問題点があった。【０００９】
また、内衣型空調服と、外衣であるユニフォームとが確実に密着しているわけではないので、ファン本体によって、外気ではなく、身体から出た汗に起因する湿気を含有する内衣型空調服と外衣との隙間の空気を取り込んで、身体から出た汗の蒸発を妨げてしまい、やはり、冷却性能が低下してしまうといった問題点があった。【００１０】
本発明の課題は、冷却性能を損なわずに、自社のユニフォームを着用できる一体型空調服を提供することにある。
【課題を解決するための手段】
【００１１】
上記課題を達成するため、この発明は、
プロペラが収納されたファン本体と
第１開口孔を備えた外衣と、
第２開口孔を備えた通気性のない又は通気性の小さなシート状素材で作成された内衣と、
前記外衣を外側に前記内衣を内側にして、前記ファン本体が前記第１開口孔と前記第２開口孔を塞ぐように、前記ファン本体を前記外衣と前記内衣とに一体的に固定する固定部材とを備え、
前記ファン本体により、空気を外部から取り込んで前記内衣と身体又は下着との間の空間に空気の流れを強制的に生じさせることを特徴とする一体型空調服である。【００１２】
本発明に係る一体型空調服では、空調服としての性能を備えた内衣と外衣が一体化され、ファン本体から内衣の内側に空気を取り込み、取り込まれた空気により内衣の内側の圧力を陽圧にして内衣と身体又は下着との間に空気流通路を自動的に形成し、空気流通路内を流通する空気が身体から出た汗を気化させる際にその気化熱により身体を冷却することができるので、外衣を自社のユニフォームとすることで、冷却性能を損なうことなく、自社のユニフォームを着用することができる。
また、外衣にファン本体が取り付けられていることが一目瞭然であるので外観上はっきりと空調服とわかる。
【発明の効果】
【００１３】
本発明によれば、冷却性能を損なわずに、自社のユニフォームを着用できる一体型空調服を実現することができる。
【図面の簡単な説明】
【００１４】
【図１Ａ】本実施形態の一体型空調服の概略正面図である。
【図１Ｂ】本実施形態の一体型空調服の概略背面図である。
【図２Ａ】本実施形態の一体型空調服の内衣の概略正面図である。
【図２Ｂ】本実施形態の一体型空調服の内衣の概略背面図である。
【図３Ａ】本実施形態の一体型空調服の内衣の背面部を内側から見た概略裏面図である。
【図３Ｂ】本実施形態の一体型空調服の内衣の後襟突起部の概略拡大図である。
【図４Ａ】一体型空調服におけるファン本体の概略正面図である。
【図４Ｂ】一体型空調服におけるファン本体の概略側面図である。
【図５Ａ】ファン収納部の概略側面図である。
【図５Ｂ】係止部材の概略正面図である。
【図５Ｃ】係止部材の概略側面図である。
【図６Ａ】本実施形態の一体型空調服の外衣の背面部を内側から見た概略裏面図である。
【図６Ｂ】本実施形態の一体型空調服の外衣の概略側面である。
【図７Ａ】ファン取付部の製造方法を示す説明図である。
【図７Ｂ】ファン取付部の製造方法を示す説明図である。
【図７Ｃ】ファン取付部の製造方法を示す説明図である。
【図７Ｄ】ファン取付部の製造方法を示す説明図である。
【図８Ａ】ファン本体の取り付け方法を示す説明図である。
【図８Ｂ】ファン本体の取り付け方法を示す説明図である。
【図８Ｃ】ファン本体の取り付け方法を示す説明図である。
【図９Ａ】従来の空調服の概略正面図である。
【図９Ｂ】従来の空調服の概略背面図である。
【発明を実施するための最良の形態】
【００１５】
以下に、図面を参照して、本願に係る発明を実施するための形態について説明する。但し、発明の範囲は、図示例に限定されない。【００１６】
（実施形態）
内衣１０は、後述する外衣よりも通気性の小さな又は通気性のないシート状素材を用いて作製される。ここでは、シート状素材として、ポリエステル製の目の細かい素材を用いている。また、本実施形態では、図１Ａ、図１Ｂ、図２Ａ及び図２Ｂに示すように、内衣１０を、身体の上半身を覆う形状、具体的には半袖の服の形状に作製している。更に、内衣１０の前部には、ファスナー（開閉手段）１１が設けられている。このファスナー１１は、一体型空調服１を着用する際に内衣１０の前部を開閉するためのものである。【００１７】
内衣１０の裾部１２には、例えば、ゴム等の伸縮性のある部材が縫い込まれている。これにより、内衣１０の裾部１２は身体に密着するようになるので、内衣１０内の空気が裾部１２から外に漏れるのを防止することができる。すなわち、内衣１０の裾部１２に設けられた伸縮性のある部材は空気漏れ防止手段である。【００１８】
また、内衣１０の後襟部の内側には、内衣１０内の空気を後襟部から外に排出する空間を確保するための後襟突出部１３が形成されている。具体的に、図３Ａ及び図３Ｂに示すように、後襟部の内側に丈夫な当て布１３１を当てた後、当て布１３１が襟後部の内側に突出した状態で、当て布１３１を後襟部に縫い付けることにより、後襟突出部１３が形成される。【００１９】
但し、後襟突出部１３の形成は後襟部の内側に（肌触りのよい）当て布１３１を縫い付けることにより後襟部が外側に突出し、首後部に接する当て布１３１と突出した襟後部の間に空気排出部を形成するもので、当て布１３１自体には強度は必要ない。このため、重たい外衣３００を着た場合などは外衣３００の襟により、後襟突出部１３が潰され、空気排出部が小さくなることがあり、後襟突出部１３の強度を強くする場合が生じる。このような場合には、後襟突出部１３が外衣３００により潰されるのを防止するため、図３Ｂに示すように内衣１０の後襟部と当て布１３１との間に、例えば、薄いプラステック製の筒状の補強部材ＲＦ３１を配すればよい。【００２０】
また、図２Ｂに示すように、内衣１０の裾部の上側の部位であって背側の左右の端部にはそれぞれ、内衣の開口孔１４が形成されている。内衣の開口孔１４にファン本体２０が取り付けられる。すなわち、内衣の開口孔１４の周囲における内衣１０の部位はファン取付部となっている。【００２１】
ファン本体２０は、空気を取り込んで、内衣１０と身体又は下着との間の空間に空気の流れを強制的に生じさせるものである。このファン本体２０は、ファン取付部に着脱自在に取り付けられる。【００２２】
ファン本体２０は、プロペラを有する、いわゆるプロペラファンであり、図４Ａ及び図４Ｂに示すように、プロペラ２１と、プロペラ２１を駆動するモータ（不図示）と、プロペラ２１及びモータが収納されるファン収納部２２と、ファン収納部２２に装着される環状の係止部材２３とを備える。ここで、プロペラ２１の直径は約８０ｍｍである。【００２３】
ファン収納部２２は、図５Ａに示すように、中空の筒状部２２１と、筒状部２２１の上端に設けられたフィンガーガード２２２と、筒状部２２１の上端から筒状部２２１の側面と略垂直な方向に突出するフランジ部２２３とを有する。筒状部２２１をその中心軸に垂直な平面で切った時の断面の外形は円形である。【００２４】
ここで、筒状部２２１の外径は、例えば、約８５ｍｍである。フィンガーガード２２２は、図４Ａ及び図４Ｂに示すように、円形状の中央基部２２２ａと、中央基部２２２ａから放射状に伸びる複数の棒状部２２２ｂと、中央基部２２２ａを中心とする輪状部２２２ｃとから構成されている。【００２５】
このように構成されているため、フィンガーガード２２２は十分な通気性を有し、プロペラ２１が回転すると空気を内部に取り込むことができる。このため、フィンガーガード２２２は、外部から指などが入らないようにして回転中のプロペラ２１から指を守る役割の他に、空気をファン本体２０内に取り込む空気取入口としての役割も果たす。【００２６】
係止部材２３（固定部材）は、ファン収納部２２を内衣１０及び外衣３００のファン取付部に取り付けるための専用具である。係止部材２３はリング状に形成されており、図５Ｂに示すように、その内径は、筒状部２２１の外径より僅かに大きい。【００２７】
ファン収納部２２の筒状部２２１の互いに対向する２つの所定部位の外側には、図５Ａに示すように、２つの凹み２２４が設けられている。一方、係止部材２３の内面には、各凹み２２４と係合して、係止部材２３を筒状部２２１の外表面に固定するための突起部２３１が設けられている。【００２８】
このため、係止部材２３を筒状部２２１の外側に差し込んで、筒状部２２１の凹み２２４と係止部材２３の突起部２３１とを嵌合させることにより、図４Ｂに示すように、係止部材２３を、フランジ部２２３と対向する状態でファン収納部２２に容易に装着することができる。【００２９】
電源装置４０は、２つのファン本体２０，２０に電力を供給するためのものである。この電源装置４０には、例えば、バッテリーが内蔵されている。図１Ｂに示すように、電源装置４０と２つのファン本体２０，２０とは電源ケーブル５０により電気的に接続されている。【００３０】
空気排出部３０は、内衣１０と身体又は下着との間の空間（空気流通路）内を流通する空気を排出するためのものである。具体的に、図２Ａに示すように、内衣１０の前襟部、後襟部（後襟突出部１３）及び半袖の袖口部が空気排出部３０の役割を果たしている。【００３１】
次に、外衣３００について説明する。外衣３００については、図１Ｂに示すように、内衣１０と同様に外衣の開口孔３１４が形成されていることと、背中に相当する部位の内側に、図６Ａに示すように、空気流通路遮断シート３０１の上端部が服地に縫い付けられている点を除き、通常の外衣３００と同様であり、本実施形態では長袖のブルゾン型の外衣３００を使用している。【００３２】
次に、外衣３００における空気流通路遮断シート３０１の役割について説明する。
通常、ユーザーが使用する夏用のユニフォームは通気性の大きな布を使用している。これを基に作製した空調服と同様の外観を有する外衣３００は、空調服の服本体と使用者が誤解する恐れがある。間違って内衣１０を使用せずに外衣３００にファン本体２０を取り付けて使用すると外衣３００は通気性が非常に大きいので、ファン本体２０により取り込まれた外気は通気性の大きな布から空気が漏れてしまい空調服としての性能をあまり発揮することができない。【００３３】
しかしながら、少しは涼しいので間違って使用した使用者は性能の悪いまま使用し続ける恐れがある。空気流通路遮断シート３０１を取り付けることにより、例えば、取り込まれた空気ＡＲ６１の一部は上方に移動するものの、空気ＡＲ６２の圧力により、軽量の空気流通路遮断シート３０１の縫合されていない下端部が、図６Ｂに示すように、捲れ上がってしまい、空気ＡＲ６３がそれ以上、上方に流れることを阻止することができる。【００３４】
これにより、冷却効果はほとんどなくなり使用者も異常に気付くことができる。また、空気流通路遮断シート３０１の表面には、間違った使用を防止するための注意書きを記すことにより更に誤使用を防止することができる。
なお、正式に一体型空調服１として使用する場合には、空気流通路遮断シート３０１は外衣３００と内衣１０との間に挟み込まれるため、冷却効果を損ねることは全くない。【００３５】
次に、ファン取付部である外衣の開口孔３１４、内衣の開口孔１４について説明する。まずファン取付部の必要とする要素について説明する。内衣１０、外衣３００共に、通常織布を使用するが、織布に単に孔を開けただけではファン取付部にはならない。【００３６】
第１の理由は、織布は伸縮するためファン本体２０を取り付けても、僅かな力がファン本体２０に加わるとファン本体２０が取れてしまう。第２の理由は、織布を切断しただけだと、ほつれてしまうので必ずほつれ留加工を施す必要がある。また、従来の空調服では、一枚の服地の開口孔をファン収納部と係止部材とにより挟み込んでいるが、後述するように本発明による一体型空調服１では、内衣の開口孔１４と、外衣の開口孔３１４との２枚の服地の開口孔を挟み込む必要があり、縁の補強処理は、あまり厚みを伴ってはいけない。したがって、本実施形態では次のような方式を採用している。なお、ファン取付部は内衣１０、外衣３００共に、同様に構成されている。【００３７】
次にファン取付部の製造方法について説明する。
第１工程
図７Ａに示すように、ファン収納部２２の筒状部２２１の内径より小さな穴ＨＬ７１を開口する。
第２工程
図７Ｂに示すように、ファン収納部２２の筒状部２２１の外径と略同一若しくは僅かに大きな点線で示す部位まで開口された孔から切り込みＣＴ７１を入れる。
第３工程
図７Ｂに示すように、ファン収納部２２の筒状部２２１の外径と略同一の外径の円柱状ジグ（不図示）に布の開口部を通し、斜線で示した部分ＰＴ７１にペン型のスチック糊で円状に糊を塗布して、図７Ｃに示すように、切込部２２４を折り返し糊により仮付けする。
第４工程
図７Ｄに示すように、仮付けされた切込部にファン収納部２２の筒状部２２１の外径と略同一の内径のリング状のプラスチック製の補強板２２５を載せる。
第５工程
最後に、ミシンを用い円筒状ジグに沿って、図７Ｄ中の２点鎖線に示すように、補強板２２５と切込部２２４とベース布とを糸で縫合する。【００３８】
上記のようにファン取付部は作製されるので、布のほつれのない、内径がファン収納部２２の筒状部２２１の外径より僅かに大きく、ベース布２枚と補強板２２５の厚みを有するファン取付部が完成する。
具体的に、補強板２２５の厚さは０．５ｍｍ、内衣１０の服地には厚みは０．２ｍｍの布を使用しているので、０．９ｍｍの厚みとなり、外衣３００の服地には０．３ｍｍの布を使用しているので１．１ｍｍである。【００３９】
ちなみに、内衣１０のシート状素材として、伸縮性の小さな、ほつれることのない素材を用いた場合には、開口孔は上記の工程は必要なく、単にファン収納部２２の筒状部２２１の外径と略同一な孔を開口するだけでよい。外衣３００についても同様である。【００４０】
次に、内衣１０と外衣３００とを、ファン本体２０及びホック（一体化手段）を使って一体化する方法について説明する。
前述したように、内衣１０と外衣３００のファン取付部の位置は一致するように作製され、また、図１Ｂ及び図２Ｂに示すように、外衣３００の服地の内側に取り付けられた２つのホック６０と、内衣１０の外側に取り付けられたホック６１の位置は一致するように作製されている。【００４１】
図８Ａに示すように、ファン収納部２２の筒状部２２１にまず外衣３００のファン取付部（開口孔３１４）を挿入し、図８Ｂに示すように、内衣１０のファン取付部（開口孔１４）を挿入する。最後に、図８Ｃに示すように、係止部材２３をファン収納部２２の筒状部２２１に挿入し、ファン収納部２２と係止部材２３とを嵌合させる。【００４２】
このとき、外衣３００のファン取付部の縁の厚みは１．１ｍｍ、内衣１０のそれは０．９ｍｍであり合わせて２ｍｍの厚さとなり、ファン収納部２２と係止部材２３との嵌合時のファン収納部２２のフランジ部２２３の下面と係止部材２３の上面との間には、例えば、２．２ｍｍの勘合余裕を有するので、内衣１０と外衣３００のファン取付部とを挟み込むことができる。言い換えると、ファン収納部２２と係止部材２３により内衣の開口孔１４と、外衣の開口孔３１４の縁部であるファン取付部は共締めされる。【００４３】
次に、外衣３００の二つのホック６０と、対向する内衣１０の二つのホック６１を結合することにより、２つのファン本体２０と２つのホック６０、６１とにより内衣１０と外衣３００とは四箇所で結合され、一体化される。また、空気流通路遮断シート３０１は内衣１０と外衣３００との間に挟み込まれ平らに納まっている。【００４４】
本実施形態の一体型空調服１は、上記のように構成されているので、一体型空調服１を着用し、電源を入れると通常の空調服と同様にファン本体２０により内衣１０内に外気が取り込まれ、取り込まれた空気の圧力により下着又は身体との間に自動的に空気流通路が形成され、空気は、空気流通路内を上方に移動し、襟前部、襟後部に設けられた空気排出部３０、及び内衣１０の半袖の袖口から外衣３００の袖に排出され、通常の空調服と同様に冷却効果を発揮することができる。【００４５】
なお、外衣３００の袖に排出された空気の一部は通気性に富む袖の服地から、一部は外衣３００の袖口から外部に排出される。したがって、通常の長袖の空調服の袖口の空気排出部に対応する空気排出部は内衣１０の袖口より先の外衣３００の袖の部位となる。また、ファン本体２０は外衣３００にも取り付けられているので、自社仕様の空調服を着用していることが外観上、一目瞭然になる。【００４６】
また、本実施形態の一体型空調服１は上記のように構成されているため、数々の利点がある。すなわち、内衣１０は下記の理由で非常に安価に性能のよい空調服として提供することができる。
（１）内衣１０はサイズ毎に１種類作ればよいので量産効果がある。
（２）内衣１０はポケット等を取り付ける必要がなく製造が簡単である。
（３）内衣１０は外観を重視しなくてよいので、安価な生地を使用することができる。
（４）内衣１０は半袖で十分なので生地の使用量を少なくできる。
（５）内衣１０は空気漏れの少ない生地で製造し、襟周りの空気排出部に工夫を施しているので空調服として十分な効果がある。【００４７】
また、外衣３００を製造する時に、従来のユニフォームを製造しているメーカーにファン取付部の作成方法を教え、補強板２２５や注意書き等がプリントされた空気流通路遮断シート３０１を提供すればよいので、簡単に製造することができる。【００４８】
以上、説明したように外観がユーザー仕様の空調服を性能を損することなく安価に提供することが可能になる。また、外衣３００を製造するメーカーやそのユーザーに納品する会社は従来の会社で済むので、ユーザーにとっても問題は少なく空調服の普及を促進することができる。【００４９】
無論、ファン本体２０を取り外し、外衣３００と内衣１０の係止部材２３による嵌合状態を解除すれば、外衣３００と内衣１０は分離できるので、外衣３００も内衣１０も必要に応じ容易に洗濯することができる。【００５０】
なお、本発明は上記の各実施形態に限定されるものではなく、その要旨の範囲内において種々の変形が可能である。【００５１】
また、本実施形態では、外衣３００として、長袖のブルゾン型の外衣を例示したが、作業着、軍服、浴衣等の服にも利用できる。特に、軍服は、耐久性が必要なため厚手の生地を用いることになり、通気性の小さな生地では対応できないので、本発明に係る一体型空調服を適用することが有効である。【００５２】
ファン本体２０と係止部材２３によりファン本体２０と係止部材２３とを係止させる方法は、実施形態による方法に限らず各種の一般的な方法を用いることができる。例えば、ファン本体２０の筒状部２２１の外壁に螺旋状の溝を形成し、係止部材２３の内壁に溝に対応する突出部を形成し、ファン本体２０の筒状部２２１の溝に係止部材２３の突出部をねじ込むようにしてもよい。【００５３】
また、電源装置４０と、２つのファン本体２０を接続する電源ケーブル５０は、電源装置４０側の端子と、ファン本体２０側の端子を取り違えて挿入する場合があり、電源ケーブル５０に負荷が加わって断線の原因となりうる。
このため、電源ケーブル５０の電源装置４０に接続される側のプラグの正電極が、ファン本体２０に接続される側のプラグの負電極に結線され、電源装置４０に接続される側のプラグの負電極がファン本体２０に接続される側のプラグの正電極に結線されるようにする。
このような接続（所謂、クロスケーブル）にした場合、ファン本体２０に接続される側のプラグが、誤って、電源装置４０に接続された時には、残りの２つのプラグの内、ひとつは逆極性なってファン本体２０が逆回転して、一体型空調服の内部から空気が排気されることになるので、使用者は、電源ケーブル５０の誤接続に気付くことができる。【００５４】
また、上記の実施形態では、一体型空調服１に２つのファン本体２０を設けた場合について説明したが、３つ以上のファン本体を設けるようにしてもよい。また、ファン本体を１つだけ設けるようにしてもよい。【００５５】
上記の実施形態では、外衣としてブルゾン型のものを使用した場合について説明したが、本発明の内衣を使用した一体型空調服では内衣自体が空調服としての機能を備えているので、その上に着用する外衣としてはどのようなタイプの衣服でも使用することができる。【００５６】
また、上記の実施形態では、内衣１０の裾部１２に、ゴム等の伸縮性のある部材（空気漏れ防止手段）を縫い込み、内衣１０内の空気が裾部１２から外に漏れるのを防止する場合について説明したが、内衣１０がシャツタイプのものである場合には、その内衣１０の裾部１２をズボンの中に入れることにより、空気が裾部１２から外に漏れるのを防止することが可能である。すなわち、この場合は、内衣１０の裾部１２をズボンの中に入れること自体を、空気漏れ防止手段とみなすことができる。【００５７】
上記の実施形態では、電源装置４０としてバッテリーを内蔵したものを用いた場合について説明したが、本発明の一体型空調服１の用途によっては、電源装置４０として、ＡＣアダプターや太陽電池等を使用することができる。
また、一体型空調服１の外部からファン本体２０に電力を供給することが可能であれば、電源装置４０及び電源ケーブル５０は必須の構成要素ではない。【００５８】
上記の実施形態では、内衣１０の襟後部の内側に当て布１３１を縫い付けることにより、後襟部から内衣１０内の空気を排出する空間を確保するための後襟突出部１３を後襟部に形成した場合について説明したが、後襟突出部１３の形成方法としては、当て布１３１を用いる方法に限らず、各種の方法を用いることができる。【００５９】
また、内衣１０の空気排出部３０から外部に空気を排出することは、外衣３００の袖の中に空気を排出することも含まれる。【００６０】
また、上記の実施形態では、フィンガーガード２２２は、筒状部２２１の上端に形成されているが、筒状部２２１の上端である必要はない。【００６１】
また、上記の実施形態では、ファン本体２０の筒状部２２１を、外衣３００（外側）の側から外衣３００の開口孔３１４に挿入しているが、勿論、ファン本体２０の筒状部２２１を、内衣１０（内側）から内衣１０の開口孔１４に挿入して、内衣１０と外衣３００を一体化するものであってもよい。【００６２】
また、上記の実施形態では、内衣１０は、半袖の服の形状に作製しているが、勿論、半袖以外の、長袖、七分袖や袖なしであってもよい。
【産業上の利用可能性】
【００６３】
以上説明したように、本発明に係る一体型空調服では、自社のユニフォームを空調服として用いるのに好適である。
【符号の説明】
【００６４】
１  一体型空調服
１０  内衣
１１  ファスナー
１２  裾部
１３  後襟突出部
１３１  当て布
１４  開口孔（第２開口孔）
２０  ファン本体
２１  プロペラ
２２  ファン収納部
２２１  筒状部
２２２  フィンガーガード
２２２ａ  中央基部
２２２ｂ  棒状部
２２２ｃ  輪状部
２２３  フランジ部
２２４  切込部
２２５  補強板
２３  係止部材（固定部材）
２３１  突起部
３０  空気排出部
４０  電源装置
５０  電源ケーブル
６０、６１  ホック（一体化手段）
３００  外衣
３０１  空気流通路遮断シート
３１４  開口孔（第１開口孔）
５００  空調服
５１０  服本体
５２０  ファン本体
５３０  空気排出部
【要約】
自社のユニフォームに近似して冷却性能を損なわず、外観上は空調服と識別できる一体型空調服を提供する。
プロペラが収納されたファン本体（２０）と、第１開口孔（３１４）を備えた外衣（３００）と、第２開口孔（１４）を備えた通気性のない又は通気性の小さなシート状素材で作成された内衣（１０）と、外衣（３００）を外側に内衣（１０）を内側にして、ファン本体（２０）が第１開口孔（３１４）と第２開口孔（１４）を塞ぐように、ファン本体（２０）を外衣（３００）と内衣（１０）とに一体的に固定する固定部材（２３）とを備え、ファン本体（２０）により、空気を外部から取り込んで内衣（１０）と身体又は下着との間の空間に空気の流れを強制的に生じさせる。【図１Ａ】
0006017069.tif 000002
【図１Ｂ】
0006017069.tif 000003
【図２Ａ】
0006017069.tif 000004
【図２Ｂ】
0006017069.tif 000005
【図３Ａ】
0006017069.tif 000006
【図３Ｂ】
0006017069.tif 000007
【図４Ａ】
0006017069.tif 000008
【図４Ｂ】
0006017069.tif 000009
【図５Ａ】
0006017069.tif 000010
【図５Ｂ】
0006017069.tif 000011
【図５Ｃ】
0006017069.tif 000012
【図６Ａ】
0006017069.tif 000013
【図６Ｂ】
0006017069.tif 000014
【図７Ａ】
0006017069.tif 000015
【図７Ｂ】
0006017069.tif 000016
【図７Ｃ】
0006017069.tif 000017
【図７Ｄ】
0006017069.tif 000018
【図８Ａ】
0006017069.tif 000019
【図８Ｂ】
0006017069.tif 000020
【図８Ｃ】
0006017069.tif 000021
【図９Ａ】
0006017069.tif 000022
【図９Ｂ】
0006017069.tif 000023